(57)【特許請求の範囲】
【請求項１】
下部構造部と上部構造部との間に免震装置を介設した免震建物において、
下部構造部と上部構造部との間を建物の外から隠すカバーが上部構造部の側に枢着され、このカバーが、免震時、下部構造部の側によって押し動かされ、外方に回動するようになされていると共に、下部構造部の側によって外方に押し動かされて回動したカバーが戻ろうとするのを阻止する戻り防止手段が備えられていることを特徴とする免震建物。
【発明の詳細な説明】
【０００１】
【発明の属する技術分野】
本発明は、免震建物に関する。
【０００２】
【関連する技術及び課題】
図３（イ）に示すように、建物への地震の影響を軽減する目的で、基礎５１と上部構造部５２との間に免震装置５３を介設することがあり、その場合に、例えば戸建て住宅やアパートなどでは、同図に示すように、基礎５１と上部構造部５２との間が外に露出しないようにする目的において、あるいは、基礎５１と上部構造部５２との間の雨仕舞いの目的において、あるいはまた、他の目的において、基礎５１と上部構造部５２との間を隠すカバー５４が備えられる。
【０００３】
このカバー５４の構造として、図３（イ）に示すように、上下のカバー材５５，５６を用い、上側カバー材５５を上部構造部５２の側に固定状態に取り付け、また、下側カバー材５６を基礎５１の側に固定状態に取り付け、上側カバー材５５の下縁部が、下側カバー材５６の上縁部に対し、建物の外側から重なり状となるようにしたものを採用することが考えられる。
【０００４】
しかしながら、この構造では、免震によって基礎５１の側と上部構造部５２の側とが水平方向に相対変位を起こすと、上下のカバー材５５，５６が衝突してしまい、カバー材５５，５６を損傷させてしまうおそれがある。
【０００５】
そこで、図３（ロ）に示すように、上下のカバー材５５，５６間に上下方向に若干の間隔をおくようにし、地震時に基礎５１と上部構造部５２とが水平方向に相対変位を起こしても、互いに干渉し合わないような構造にすることが考えられる。
【０００６】
しかしながら、その場合、基礎５１と上部構造部５２との間がしっかりとカバーされず、そのため、例えば雨仕舞いを主たる目的とするような場合には、上下のカバー材５５，５６の間を通じて雨が入り込みやすくなるし、それを防ぐため、上下のカバー材５５，５６間の間隔寸法を可及的に小さく抑えようとすると、カバー材５５，５６の取付けに高い精度が必要となり、そのため、この間隔寸法をあまり小さく設計することもできない。
【０００７】
本発明は、上記のような従来の問題点に鑑み、免震時にカバーが損傷してしまうのを防ぐことができ、しかも、免震装置の設けられる上下の構造部間をしっかりとカバーすることができる構造の免震建物を提供することを課題とする。
【０００８】
【課題を解決するための手段】
上記の課題は、下部構造部と上部構造部との間に免震装置を介設した免震建物において、
下部構造部と上部構造部との間を建物の外から隠すカバーが上部構造部の側に枢着され、このカバーが、免震時、下部構造部の側によって押し動かされ、外方に回動するものとなされていることを特徴とする免震建物によって解決される。
【０００９】
この免震建物では、免震時、カバーが下部構造部の側によって押し動かされて外方に回動する構造となされているので、免震時にカバーが損傷してしまうのが防がれる。しかも、カバーは、免震時、下部構造部の側によって外方に押し動かされるようになされていて、下部構造部の側に対して重なり状にされているから、免震装置の設けられる上下の構造部間をしっかりとカバーすることができる。雨仕舞いを主目的とする場合には、雨仕舞いに優れたカバー構造を実現することができる。また、カバーの取付けにさほどの高精度が要求されることもない。
【００１０】
上記の免震建物において、下部構造部の側によって外方に押し動かされて回動したカバーが戻ろうとするのを阻止又は抑制する戻り防止手段が備えられている場合は、免震時のカバーのバタツキを防ぐことができる。従って、バタツキ音を少なくし、あるいは、なくすことができると共に、バタツキによるカバーの損傷も防ぐことができる。
【００１１】
【発明の実施の形態】
次に、本発明の実施形態を図面に基づいて説明する。
【００１２】
図１（イ）に示す免震建物は、戸建て住宅やアパートなどの建物であり、１は下部構造部としての基礎、２は上部構造部であり、基礎１と上部構造部２との間に免震装置３が介設されている。免震装置３は、鋼球などからなる球体４を上下の受け５，６で受ける転がり免震支承型の免震装置からなっているが、積層ゴムによる免震装置であってもよいし、その他の免震装置であってもよい。そして、７が本発明におけるカバーとしての上側カバー材であり、８は下側カバー材である。これら上下のカバー材７，８によって、基礎１と上部構造部２との間が外から隠される。なお、基礎１は例えばコンクリート基礎などからなる。また、上部構造部２において、９は建物躯体の梁、１０は床板、１１は外壁パネルであり、１２は梁９を隠す目隠しである。
【００１３】
上下のカバー材７，８は、金属や樹脂などからなっており、上側カバー材７は、その上縁部が上部構造部２の側、例えば、梁９の下フランジ部分に回動可能に枢着されて垂下状態に取り付けられ、また、下側カバー材８は、基礎１の側、例えば基礎１や、免震装置３における下側の受け６に対して固定状態に取り付けられ、そして、上側カバー材７の下縁部が、下側カバー材８の上縁部に対し、建物の外側から重なり状となるようにされている。また、下側カバー材８の上縁部の外面側にはゴムなどによる緩衝材１３が取り付けられ、上下のカバー材７，８が直接に衝接しないようにされている。
【００１４】
そして、本実施形態の免震建物には、回動可能に枢着して取り付けた上側カバー材７が外方に回動した後、自らの自重の作用によって戻る方向に回動を起こしてしまうのを阻止する戻り防止手段が備えられている。この戻り防止手段は、例えば、枢着部における上側カバー材７の回動摩擦抵抗を大きく設定することなどによって実現することができる。
【００１５】
上記の免震建物では、地震が起きて地盤とともに基礎１の側が水平方向に動き、図１（ロ）に示すように、基礎１の側が上部構造部２よりも外方に変位した際、上側カバー材７は、下部構造部１の側、即ち、基礎１の側に取り付けられた下側カバー材８によって押し動かされて外方に回動する。これにより、上側カバー材７が地震時に損傷するのが防がれる。
【００１６】
そして、図２（イ）（ロ）に示すように、基礎１の側が上部構造部２の内方側へと動いていって、上側カバー材７がフリーとなった後も、上側カバー材７は、上記の戻り防止手段が働いて、自らの自重によって振り子のように戻ろうとすることはなく、外方に開いたままの状態を保持する。従って、基礎１の側が上部構造部２の内方側へと動いた後、再度、外方へと動いていき、この外方へと動いた距離が前回と同じかそれより短いときは基礎１の側が上側カバー材７に当たってしまうことはなく、また、外方へと動いた距離が前回よりも大きいときでも、基礎１の側の下側カバー８は上側カバー材７に軽く当たって、上側カバー材７を更に外方に押し動かすだけであって、免震作動時に上側カバー材７にバタツキを生じるのを防ぐことができて、バタツキ音を少なくあるいはなくすことができると共に、バタツキによる上下のカバー材７，８の損傷も防ぐことができる。
【００１７】
また、上記の免震建物では、点検等の際、カバー７を回動させるだけで、上部構造部２と基礎１との間を外に開放することできて、免震支承部に容易にアクセスでき、点検等の作業を作業性良く行うことができる。その場合、カバー７を、基礎１の延びる方向に所定の長さ寸法単位、例えば１ｍくらいの長さ単位で分割しておくことにより、カバー７を容易に回動させることができるようになる。
【００１８】
以上に、本発明の実施形態を示したが、本発明はこれに限られるものではなく、発明思想を逸脱しない範囲で、各種の変更が可能である。例えば、上記の実施形態では、戻り防止手段が上側カバー材７の戻りを阻止するように機能するものとなされているが、戻り防止手段は、上側カバー材７が低速で戻っていくよう、戻りを抑制する態様で機能するように構成されていてもよい。この場合は、地震時の上側カバー材７のバタツキを抑制することができると共に、地震後は自ら元の位置に戻るよう動いていくので、地震後に上側カバー材７が開いたままになってしまうのを防ぐことができる。また、上記の実施形態では、戻り防止手段を備えさせた例を示しているが、上側カバー材を自由に回動するように枢着してもよいし、バネなどの付勢手段により戻り方向に付勢するようにしてもよい。後者の場合は、地震後に上側カバー材７が開いたままになってしまうのをより一層確実に防ぐことができる。また、上記の実施形態では、上側カバー材７のほかに下側カバー材８を備えさせた場合を示しているが、上側カバー材のみでカバーし、下側カバー材を省略するようにしてもよい。また、本発明は、戸建て住宅やアパートの他、各種建物に用いられてよいことはいうまでもない。なお、下部構造部は、基礎に限られるものではなく、免震すべき上部構造部の下に備えられる構造部であればよく、従って、例えば、免震装置を階間部に備えさせる場合は、階下部分が下部構造部となり、階上部が上部構造部となる。
【００１９】
【発明の効果】
上述の次第で、本発明は、以上のとおりのものであるから、免震作動時にカバーが損傷してしまうのを防ぐことができ、しかも、免震装置の設けられる上下の構造部間をしっかりとカバーすることができる。
【図面の簡単な説明】
【図１】図（イ）は実施形態の免震建物におけるカバー取付け部分を示す断面図、図（ロ）は免震時にカバーが外方に押し動かされて回動した状態を示す断面図である。
【図２】図（イ）（ロ）は下部構造部の側が上記とは逆の方向に動いていくときの状態を順次に示す断面図である。
【図３】図（イ）（ロ）はそれぞれカバー取付け部分の構造の関連技術を示す断面図である。
【符号の説明】
１…基礎（下部構造部）
２…上部構造部
３…免震装置
７…上側カバー材（カバー）
【図１】
0004298122.tif 000002
【図２】
0004298122.tif 000003
【図３】
0004298122.tif 000004